(57)【要約】【課題】外装面材を用いて耐震性能の向上を図るための新規な技術について提案する。【解決手段】塗り壁と、パネル状の耐力壁を配置して建物の外壁を構成する建物外壁の構造であって、耐力壁が躯体部材に対して留め付け可能な部位に耐力壁を設置して、耐力壁による建物の耐震性能の向上を図ることとする。また、建物は既設の建物であり、塗り壁は既存壁であり、特定の部位の既存壁の取り除いて形成される領域、或いは、特定の部位の既存壁の上側の領域に、耐力壁を設置して、耐力壁による建物の耐震性能の向上を図ることとする。【選択図】図１
2013185381.tif 000002
【特許請求の範囲】
【請求項１】
塗り壁と、パネル状の耐力壁を配置して建物の外壁を構成する建物外壁の構造であって、
前記耐力壁が躯体部材に対して留め付け可能な部位に前記耐力壁を設置して、前記耐力壁による建物の耐震性能の向上を図ることとする、
建物外壁の構造。
【請求項２】
前記建物は既設の建物であり、前記塗り壁は既存壁であり、特定の部位の前記既存壁の取り除いて形成される領域、或いは、特定の部位の前記既存壁の上側の領域に、前記耐力壁を設置して、前記耐力壁による建物の耐震性能の向上を図ることとする、
ことを特徴とする請求項１に記載の建物外壁の構造。
【請求項３】
前記既存壁と、前記耐力壁の間の境界部には、境界部仕上部材が設けられ、
前記境界部仕上部材によって、前記既存壁の見付面と、前記耐力壁の見付面が隠される、
ことを特徴とする請求項１又は請求項２に記載の建物外壁の構造。
【請求項４】
前記境界部仕上部材は、
前記躯体部材の見付面に対して固定されるベース部材と、
前記耐力壁の見付面に対向するカバー面部を有する第一カバー材と、
前記既存壁の見付面に対向するカバー面部を有する第二カバー材と、を有して構成される、
境界部仕上部材とする、ことを特徴とする請求項３に記載の建物外壁の構造。
【請求項５】
前記第一カバー材と前記第二カバー材の間にはパッキンが挟装され、前記パッキンの厚みによって、前記既存壁の見付面よりも室外側となる位置に、前記第二カバー材の前記カバー面部を配置させることとする、
ことを特徴とする請求項４に記載の建物外壁の構造。
【請求項６】
横方向に隣り合う塗り壁と、パネル状の耐力壁の間の境界部に収められる境界部仕上部材であって、
躯体部材の見付面に対して固定されるベース部材と、
前記耐力壁の見付面に対向するカバー面部を有する第一カバー材と、
前記既存壁の見付面に対向するカバー面部を有する第二カバー材と、を有して構成される、
境界部仕上部材。
【請求項７】
前記第一カバー材と前記第二カバー材の間にはパッキンが挟装され、前記パッキンの厚みによって、前記既存壁の見付面よりも室外側となる位置に、前記第二カバー材の前記カバー面部を配置させることとする、
ことを特徴とする請求項６に記載の境界部仕上部材。
【発明の詳細な説明】
【技術分野】
【０００１】
本発明は、建物の耐震性能の向上を目的とした建物外壁の構造に関する。
【背景技術】
【０００２】
住宅などの建物の地震に対する対策として、外装面材の呈する耐震性能によって、建物全体としての耐震性能を図ることが知られており、例えば、特許文献１では、建物の外壁側から簡易的に耐震構造に改修可能である木造住宅の耐震外壁（耐力壁）、及びその施工方法について開示がされている。
【０００３】
特許文献１では、モルタルからなる既存外壁の建物に対し、一階部分の高さ方向の途中までの範囲において耐震外壁を設置することで、開口部を除いた建物の外周部分を覆うように、耐震外壁が設置される構成が開示されている。
【先行技術文献】
【特許文献】
【０００４】
【特許文献１】特開２００８−２３１７６５号公報
【発明の概要】
【発明が解決しようとする課題】
【０００５】
耐震化の需要は年々高まっており、外装面材を利用した耐震性能の確保、向上の需要も高まっている。また、潜在的な重要も多いことが考えられ、施工の方法においても、施主の多種、多様な需要に応えることが期待されている。
【０００６】
ところで、外装面材の利用は、特許文献１からもわかるように、建物の外壁の全体ではなく、一階部分においてのみ利用することによっても、耐震性能の向上が図られることが提案されている。
【０００７】
しかしながら、仮に特許文献１に開示される構成であっても、一階の壁を構成する部分の略全範囲を外装面材によって覆うこととしているため、外装面材そのもののコストや、施工コストが高くなってしまうことがあり、このコストの問題によって、施主が施工を断念せざるを得ないという状況が起きてしまうことが懸念される。
【０００８】
このような状況は、リフォーム時（改修時）や新築時のいずれにおいても起こりえるものであり、特にリフォーム需要においては、低コスト、かつ、短期間で耐震性能の向上を図りたいという施主が多いものと予想され、このような施主の要望に応えることが急務となっている。
【０００９】
そこで、本発明は以上の問題に鑑み、外装面材を用いて耐震性能の向上を図るための新規な技術について提案することを目的とする。
【００１０】
また、他の課題として、外装面材とモルタルなどの塗り壁部の境界部が存在する場合には、境界部の納まりの問題が生じることになる。即ち、境界部の止水性の確保や、意匠性の確保といった仕上げが必要となるものであるが、この仕上げについて、耐候性や施工の容易性を確保することが必要とされる。
【００１１】
そこで、本発明は、他の目的として、外装面材とモルタルなどの塗り壁部の境界部において、耐候性や施工の容易性を確保することが可能な仕上げの形態について、新規な技術について提案することを目的とする。
【課題を解決するための手段】
【００１２】
本発明の解決しようとする課題は以上の如くであり、次にこの課題を解決するための手段を説明する。
【００１３】
即ち、請求項１に記載のごとく、
塗り壁と、パネル状の耐力壁を配置して建物の外壁を構成する建物外壁の構造であって、
耐力壁が躯体部材に対して留め付け可能な部位に耐力壁を設置して、耐力壁による建物の耐震性能の向上を図ることとする。
【００１４】
また、請求項２に記載のごとく、
建物は既設の建物であり、塗り壁は既存壁であり、特定の部位の既存壁の取り除いて形成される領域、或いは、特定の部位の既存壁の上側の領域に、耐力壁を設置して、耐力壁による建物の耐震性能の向上を図ることとする。
【００１５】
また、請求項３に記載のごとく、
前記既存壁と、前記耐力壁の間の境界部Ｋには、境界部仕上部材が設けられ、
前記境界部仕上部材によって、前記既存壁の見付面と、前記耐力壁の見付面が隠される、こととする。
【００１６】
また、請求項４に記載のごとく、
境界部仕上部材は、
躯体部材の見付面に対して固定されるベース部材と、
耐力壁の見付面に対向するカバー面部を有する第一カバー材と、
既存壁の見付面に対向するカバー面部を有する第二カバー材と、を有して構成される、境界部仕上部材とする。
【００１７】
また、請求項５に記載のごとく、
第一カバー材と第二カバー材の間にはパッキンが挟装され、パッキンの厚みによって、既存壁の見付面よりも室外側となる位置に、第二カバー材のカバー面部を配置させることとする。
【００１８】
また、請求項６に記載のごとく、
横方向に隣り合う塗り壁と、パネル状の耐力壁の間の境界部に収められる境界部仕上部材であって、
躯体部材の見付面に対して固定されるベース部材と、
耐力壁の見付面に対向するカバー面部を有する第一カバー材と、
既存壁の見付面に対向するカバー面部を有する第二カバー材と、を有して構成される、
境界部仕上部材とするものである。
【００１９】
また、請求項７に記載のごとく、
第一カバー材と第二カバー材の間にはパッキンが挟装され、パッキンの厚みによって、既存壁の見付面よりも室外側となる位置に、第二カバー材のカバー面部を配置させることとする。
【発明の効果】
【００２０】
本発明の効果として、以下に示すような効果を奏する。
【００２１】
即ち、請求項１に記載の発明においては、
耐力壁の設置範囲を任意に選択することができ、耐力壁そのもののコストや、施工コストを安価に抑えることが可能となり、施主の予算に応じた最適な耐震性能の向上策を提案、実施することが可能となる。また、耐力壁と塗り壁の種類の異なる壁にて外観意匠を構成することができ、デザイン性を有する意匠を構成することも可能となる。
【００２２】
また、請求項２に記載の発明においては、
特にリフォーム需要において、低コスト、かつ、短期間で耐震性能の向上を図りたいという要望がある場合に、耐力壁の設置範囲を任意に選択することができ、耐力壁そのもののコストや、施工コストを安価に抑えることが可能となり、施主の予算や納期の希望に応じた最適な耐震性能の向上策を提案、実施することが可能となる。また、耐力壁と塗り壁の種類の異なる壁にて外観意匠を構成することができ、デザイン性を有する意匠を構成することも可能となる。
【００２３】
また、請求項３に記載の発明においては、
第一カバー材、第二カバー材により、それぞれ、境界部における耐力壁の端面の仕上げや、既存壁の端面の仕上げを覆い隠すことができ、境界部における意匠性を確保することができる。また、高度な仕上げ作業が不要となるため、施工の容易性を確保できることになる。
【００２４】
また、請求項４に記載のごとく、
境界部に充填材が使用される場合には、充填材を第一カバー材、第二カバー材にて覆い隠すことにより、紫外線による充填材の劣化が抑えられ、耐候性の確保、ひいては、境界部における止水性の確保が可能となる。
【００２５】
また、請求項５に記載の発明においては、
既存壁の柱からの出っ張り寸法Ｗが施工現場毎に異なる場合には、パッキンの変更により対応することができる。
【００２６】
また、請求項６に記載の発明においては、
第一カバー材、第二カバー材により、それぞれ、境界部における耐力壁の端面の仕上げや、既存壁の端面の仕上げを覆い隠すことができ、境界部における意匠性を確保することができる。また、高度な仕上げ作業が不要となるため、施工の容易性を確保できることになる。また、境界部に充填材が使用される場合には、充填材を第一カバー材、第二カバー材にて覆い隠すことにより、紫外線による充填材の劣化が抑えられ、耐候性の確保、ひいては、境界部における止水性の確保が可能となる。
【００２７】
また、請求項７に記載の発明においては、
既存壁の躯体部材からの出っ張り寸法が施工現場毎に異なる場合には、パッキンの変更により対応することができる。
【図面の簡単な説明】
【００２８】
【図１】本発明の一実施例である耐力壁を備える木造の建物を模式的に示した斜視図である。
【図２】既存壁と耐力壁の境界部の構成について示す水平断面図である。
【図３】境界部仕上部材の構成部材の形状について示す断面図である。
【発明を実施するための形態】
【００２９】
図１は本発明の一実施例である耐力壁１０，１０を備える木造の建物１を模式的に示した斜視図である。建物１は、２階建ての住宅であり、１階には窓３が設けられ、２階には窓４が設けられている。
【００３０】
また外観を形成する壁は、改修されていない既存壁２，２と耐力壁１０，１０とを有している。既存壁２，２の外装は、例えば、モルタルなどの塗り壁にて構成され、耐力壁１０，１０は窯業系外壁パネルにて構成される。
【００３１】
そして、本実施例では、建物１の外装において出隅部６，６を構成する部位において、耐力壁１０，１０を新たに設置し、その他の部位においては、既存壁２，２をそのまま用いることにより、耐震改修が実施されることとしている。耐力壁１０，１０は、出隅部６，６に配置される躯体部材（柱７，７）に対して留め付けられる。
【００３２】
また、耐力壁１０，１０を出隅部６，６の部位にのみ設ける形態とすることにより、建物１の外装において、既存壁２，２を耐力壁１０，１０にて取り囲む意匠、或いは、耐力壁１０，１０が１階から２階まで通る支柱を構成する意匠、といったように、デザイン性を有する意匠を構成することができる。
【００３３】
また、耐力壁１０，１０は、出隅部６，６に設ける形態とするほかにも、例えば、外装の壁面全体の幅方向の中央部８に１階から２階まで通すように設ける形態も考えられる。
【００３４】
さらに、耐力壁１０は窯業系外壁パネルにて構成するほか、金属製外壁パネルなどにて構成することも考えられ、モルタルなどの塗り壁と比較すると、仮に一枚の耐力壁１０を設置をするだけで耐震性能の向上が図られるものである。このため、一枚の耐力壁１０を任意の部位にスポット的に設けることにより、耐震性能の向上や確保を図ることも可能である。
【００３５】
また、特に、既存の建物の耐震改修において、耐力壁１０が固定される対象となる躯体部材、即ち、柱、間柱、梁、胴縁などをそのまま有効活用する場合には、耐力壁１０の設置される部位が制限されることになる。
【００３６】
例えば、図１の例であれば、出隅部６，６において基礎部分から屋根下部分に至る範囲に設けられ、建物の構造躯体を構成する柱７，７（躯体部材）が存在し、この柱７，７に対して耐力壁１０，１０が設置可能となるため、この出隅部６，６において耐力壁１０，１０を設置することとしている。
【００３７】
このように、耐力壁１０が設置可能な部位から任意の部位を適宜選択し、選択された部位に耐力壁１０を配置することも考えられる。なお、柱、間柱、梁、胴縁などの構造躯体に対する耐力壁１０の留め付けは、周知の固定金具、ビス、ネジなどを用いることで行うことが考えられる。
【００３８】
以上のように、本発明では、塗り壁（既存壁２，２）と、パネル状の耐力壁１０を配置して建物１の外壁を構成する建物外壁の構造であって、耐力壁１０が躯体部材（柱７，７）に対して留め付け可能な部位に耐力壁１０を設置して、耐力壁１０による建物の耐震性能の向上を図ることとする、建物外壁の構造とするものである。
【００３９】
これによれば、耐力壁１０の設置範囲を任意に選択することができ、耐力壁１０そのもののコストや、施工コストを安価に抑えることが可能となり、施主の予算に応じた最適な耐震性能の向上策を提案、実施することが可能となる。また、耐力壁１０と塗り壁（既存壁２，２）の種類の異なる壁にて外観意匠を構成することができ、デザイン性を有する意匠を構成することも可能となる。
【００４０】
さらに、建物１は既設の建物であり、塗り壁は既存壁２，２であり、特定の部位の既存壁２，２の取り除いて形成される領域、或いは、特定の部位の既存壁２，２の上側の領域に、耐力壁１０，１０を設置して、耐力壁１０，１０による建物の耐震性能の向上を図ることとする、建物外壁の構造とするものである。
【００４１】
例えば、リフォームの際に、特定の部位の既存壁２，２を取り除き、塗り壁が存在しない箇所を形成し、この箇所に耐力壁１０を設置することが考えられる。
【００４２】
これによれば、特にリフォーム需要において、低コスト、かつ、短期間で耐震性能の向上を図りたいという要望がある場合に、耐力壁１０の設置範囲を任意に選択することができ、耐力壁１０そのもののコストや、施工コストを安価に抑えることが可能となり、施主の予算や納期の希望に応じた最適な耐震性能の向上策を提案、実施することが可能となる。また、耐力壁１０と塗り壁（既存壁２，２）の種類の異なる壁にて外観意匠を構成することができ、デザイン性を有する意匠を構成することも可能となる。
【００４３】
なお、耐力壁１０の具体的仕様については、特に限定されるものではないが、例えば以下の各種仕様とすることが考えられる。
【００４４】
＜仕様１：窯業系外壁パネル＞
横幅寸法：    ３０３０ｍｍ
縦幅寸法：    ４５５ｍｍ
厚さ    ：    １８ｍｍ
【００４５】
＜仕様２：窯業系外壁パネル＞
横幅寸法：    ３０３０ｍｍ
縦幅寸法：    ４５５ｍｍ
厚さ    ：    １５ｍｍ
【００４６】
次に、図１に示すごとく、既存壁２と耐力壁１０の境界部Ｋにおける仕上げに関する技術について説明する。図２は、境界部Ｋにおける水平断面図であり、既存壁２の縦方向の端面２ａ（モルタル３１の端面３１ａ）と、耐力壁１０の縦方向の端面１０ａとが対向して配置され、その間に境界部仕上部材２０が配設される状態が示されている。
【００４７】
図２に示すごとく、柱７の見付面７ａの右側の領域に対し既存壁２が設けられている。既存壁２は、下地材３０にモルタル３１を塗布して塗り壁が構成されている。この既存壁２は、柱７の見付面７ａを全て覆うように設けられていたが、耐震改修の際に柱７の見付面７ａの図において左側の部位を覆っていた部位が撤去されたものであり、撤去された部位に耐力壁１０が新たに配設されることとなっている。
【００４８】
耐力壁１０は、柱７の見付面７ａの左側の領域に対して設けられている。耐力壁１０は、耐震性能の向上を目的として、既存壁２の一部を撤去して配置されるものであり、柱７に対して、周知の固定金具、ビス、ネジなどを用いることで留め付けられる。耐力壁１０は、窯業系外壁パネルにて構成するほか、金属製外壁パネルなどにて構成することも考えられる。
【００４９】
そして、既存壁２と耐力壁１０の間には、境界部仕上部材２０を設置することにより、既存壁２と耐力壁１０の間に形成される境界部Ｋの仕上げが行われる。
【００５０】
この境界部仕上部材２０は、図２及び図３に示すように、柱７の見付面７ａに対して固定されるベース部材２２と、耐力壁１０の見付面１０ｂに対向するカバー面部２４ａを有する第一カバー材２４と、既存壁２の見付面（モルタル３１の見付面３１ｂ）に対向するカバー面部２６ａを有する第二カバー材２６と、を有して構成される。
【００５１】
ベース部材２２は、例えば、長尺のアルミ押出成型材や、樹脂成型材にて構成することができる。ベース部材２２には、断面視において、柱７の見付面７ａに当着されるベース部２２ａと、ベース部２２ａから間隔を空けて一側方向に突設される縦壁部２２ｂ，２２ｃと、両縦壁部２２ｂ，２２ｃの間を結ぶように構成される中間壁部２２ｄと、を有して構成される。
【００５２】
一方の縦壁部２２ｂは、ベース部２２ａの幅方向の一側端部から突設され、縦壁部２２ｂとベース部２２ａにて略直角の角部２２ｅが形成される。この角部２２ｅが、柱７の見付面７ａと、既存壁２の下地材３０の端面３０ａの間に構成される角部３０ｂに付け合せられることで、ベース部材２２の柱７に対する位置決めが行われる。
【００５３】
縦壁部２２ｂと、モルタル３１の端面３１ａと、下地材３０の見付面３０ｃによって、略コ字状の溝状空間３４を構成される。この溝状空間３４には、適宜、モルタル材料などからなる充填材３６が充填され、縦壁部２２ｂとモルタル３１の端面３１ａの間が充填材３６によって隙間無く埋められる。
【００５４】
また、この充填材３６を埋める際に、縦壁部２２ｂが壁として機能するため、充填材３６の充填作業を容易に行うことができる。なお、この観点から、縦壁部２２ｂの先端部は、モルタル３１の表面よりも外側に突出するように構成することが好ましい。
【００５５】
また、他方の縦壁部２２ｃは、ベース部２２ａの幅方向の中途部から凸設される。縦壁部２２ｃの奥行き方向の中途部には、位置決め片部２２ｆがもう一方の縦壁部２２ｂと反対側方向に突設される。
【００５６】
位置決め片部２２ｆと、耐力壁１０の端面１０ａと、縦壁部２２ｃによって、略コ字状の溝状空間３５を構成できるようになっている。この溝状空間３５には、適宜、シーリング材料（コーキング材料）などからなる充填材３７が充填され、縦壁部２２ｃと耐力壁１０の端面１０ａの間が充填材３７によって隙間無く埋められる。
【００５７】
また、この充填材３７を埋める際に、縦壁部２２ｃが壁として機能するため、充填材３７の充填作業を容易に行うことができる。なお、この観点から、縦壁部２２ｃの先端部は、耐力壁１０の表面よりも外側に突出するように構成することが好ましい。
【００５８】
また、ベース部材２２のベース部２２ａにおいて、図において左側の部位は、柱７の見付面７ａに対する固定面２２ｇとして機能する。この固定面２２ｇと、耐力壁１０の裏面の間には、防水シート４０が挟装される。この固定面２２ｇは、図示せぬビスなどによって柱７の見付面７ａに対して留め付けられる。
【００５９】
また、柱７に対して留め付けられたベース部材２２に対し、耐力壁１０の端面１０ａを位置決め片部２２ｆに当接させるようにして、耐力壁１０を設置することで、ベース部材２２に対する耐力壁１０の位置決めを行うことができる。
【００６０】
また、このように耐力壁１０の位置決めがなされることで、位置決め片部２２ｆの寸法によって溝状空間３５の幅を一定の値に規定することができ、充填材３７が充填される溝状空間３５を常に一定の値とすることが可能となり、充填材３７による一定の止水機能を確保できることになる。
【００６１】
次に、第一カバー材２４は、例えば、長尺のアルミ押出成型材や、樹脂成型材にて構成することができる。第一カバー材２４には、ベース部材２２の中間壁部２２ｄに当着される当着壁部２４ｂと、当着壁部２４ｂの幅方向の一側端部から突設される縦壁部２４ｃと、縦壁部２４ｃの当着壁部２４ｂと反対側の端部から耐力壁１０側に向かって突設させるためのカバー面部２４ａと、を有して構成される。
【００６２】
第一カバー材２４の当着壁部２４ｂと縦壁部２４ｃは、ベース部材２２の縦壁部２２ｂ，２２ｃ、中間壁部２２ｄによって囲まれる収容空間２２ｈに納められる。第一カバー材２４の当着壁部２４ｂの縦壁部２４ｃと反対側の端部２４ｍは、ベース部材２２の縦壁部２２ｂに突設される突条部２２ｋと、中間壁部２２ｄの間に形成される窪み溝部２２ｍに挿入される。また、第一カバー材２４の縦壁部２４ｃには、窪み溝部２４ｄが形成されており、この窪み溝部２４ｄがベース部材２２の縦壁部２２ｃに突設される突条部２２ｊに挿入される。このように、第一カバー材２４の所定の部位をベース部材２２の所定の位置に挿入することで、ベース部材２２に対する第一カバー材２４の位置決めがなされるようになっている。
【００６３】
第一カバー材２４のカバー面部２４ａは、ベース部材２２と耐力壁１０の間に充填される充填材３７を覆い隠すことができるように、その側端部２４ｅがベース部材２２の位置決め片部２２ｆよりも耐力壁１０側に位置し、耐力壁１０とカバー面部２４ａの間に重なり代Ｗ１が確保されるようにしている。この重なり代Ｗ１は、例えば、５ｍｍ〜２０ｍｍとすることが考えられる。
【００６４】
また、第一カバー材２４の側端部２４ｅは、耐力壁１０の見付面１０ｂ側に近づくように屈曲されることが好ましい。これにより、第一カバー材２４と耐力壁１０の間に形成される隙間Ｓ１が狭くなり、充填材３７を外部から見え難くすることができる。
【００６５】
次に、第二カバー材２６は、例えば、長尺のアルミ押出成型材や、樹脂成型材にて構成することができる。第二カバー材２６には、第一カバー材２４の当着壁部２４ｂとパッキン材２８を介して対向する対向壁部２６ｂと、対向壁部２６ｂの幅方向の一側端部から突設される縦壁部２６ｃと、縦壁部２６ｃの対向壁部２６ｂと反対側の端部から既存壁２（モルタル３１）側に向かって突設させるためのカバー面部２６ａと、を有して構成される。
【００６６】
第二カバー材２６の対向壁部２６ｂと縦壁部２６ｃは、ベース部材２２の縦壁部２２ｂ，２２ｃ、中間壁部２２ｄによって囲まれる収容空間２２ｈに納められる。
【００６７】
第二カバー材２６のカバー面部２６ａは、ベース部材２２とモルタル３１の間に充填される充填材３６を覆い隠すことができるように、その側端部２６ｅがモルタル３１の端面３１ａを超えてモルタル３１との間で重なり代Ｗ２が確保できるように構成される。この重なり代Ｗ２は、例えば、５ｍｍ〜２０ｍｍとすることが考えられる。
【００６８】
また、第二カバー材２６の側端部２６ｅは、モルタル３１の見付面３１ｂ側に近づくように屈曲されることが好ましい。これにより、第二カバー材２６とモルタル３１の間に形成される隙間Ｓ２が狭くなり、充填材３６を外部から見え難くすることができる。
【００６９】
また、第一カバー材２４の当着壁部２４ｂ、第二カバー材２６の対向壁部２６ｂの間には、パッキン材２８が挟装されることが好ましい。このパッキン材２８の厚み２８ｗによって、モルタル３１の見付面３１ｂよりも室外側となる位置に、第二カバー材２６のカバー面部２６ａを配置させることができる。
【００７０】
第一カバー材２４と第二カバー材２６の間にパッキン材２８を介装する構成は、特に、リフォームにより耐力壁１０を設置する場合において有効な構成となる。既存壁２（モルタル３１の見付面３１ｂ）の柱７からの出っ張り寸法Ｗ３が施工現場毎に異なることが想定されるためであり、このことから、厚み２８ｗの異なる複数種類のパッキン２８を準備することや、弾性変形により厚み２８ｗが変更するスポンジ部材にてパッキン２８を構成することなどが考えられる。
【００７１】
なお、第一カバー材２４のカバー面部２４ａと耐力壁１０の見付面１０ａの位置関係においては、ベース部材２２の中間壁部２２ｄの位置によって設定されることになるが、耐力壁１０の壁厚は予め設定されているため、この耐力壁１０の壁厚の設定に応じてベース部材２２の中間壁部２２ｄや、第一カバー材２４の縦壁部２４ｃの寸法を設計しておけばよい。
【００７２】
また、図２において、第二カバー材２６の対向壁部２６ｂ、パッキン２８、第一カバー材２４の当着壁部２４ｂ、ベース部材２２の中間壁部２２ｄ、及び、ベース部材２２のベース部２２を貫通させるように、ビス（不図示）が柱７に対して捻じ込まれることにより、第二カバー材２６、パッキン２８、第一カバー材２４を柱７に対して留め付けることができるようになっている。
【００７３】
以上のように、本実施例では、建物外壁の構造に用いられ、横方向に隣り合う塗り壁（既存壁２，２）と、パネル状の耐力壁１０の間の境界部Ｋに収められる境界部仕上部材２０であり、
境界部仕上部材２０は、
柱７の見付面７ａに対して固定されるベース部材２２と、
耐力壁１０の見付面１０ｂに対向するカバー面部２４ａを有する第一カバー材２４と、
既存壁２の見付面（モルタル３１の見付面３１ｂ）に対向するカバー面部２６ａを有する第二カバー材２６と、を有して構成される。
【００７４】
この構成により、第一カバー材２４、第二カバー材２６により、それぞれ、境界部Ｋにおける耐力壁１０の端面１０ａの仕上げや、既存壁２の端面（モルタル３１の端面３１ａ）の仕上げを覆い隠すことができ、境界部Ｋにおける意匠性を確保することができる。また、高度な仕上げ作業が不要となるため、施工の容易性を確保できることになる。また、境界部Ｋに充填材３６，３７が使用される場合には、充填材３６，３７を第一カバー材２４、第二カバー材２６にて覆い隠すことにより、紫外線による充填材３６，３７の劣化が抑えられ、耐候性の確保、ひいては、境界部Ｋにおける止水性の確保が可能となる。
【００７５】
また、第一カバー材２４と第二カバー材２６の間にはパッキン２８が挟装され、パッキン２８の厚み２８ｗによって、モルタル３１の見付面３１ｂよりも室外側となる位置に、第二カバー材２６のカバー面部２６ａを配置させることとする。
【００７６】
この構成により、既存壁２（モルタル３１の見付面３１ｂ）の柱７からの出っ張り寸法Ｗ３が施工現場毎に異なる場合には、パッキン２８の厚み２８ｗの変更により対応することができる。
【００７７】
以上のようにして、本発明を実施することができる。
即ち、図１乃至図３に示すごとく、既存壁２，２と、耐力壁１０，１０の間の境界部Ｋには、境界部仕上部材２０が設けられ、境界部仕上部材２０によって、既存壁２，２の見付面１０ｂと、耐力壁１０，１０の見付面１０ｂが隠される、こととする。
【００７８】
これにより、第一カバー材２４、第二カバー材２６により、それぞれ、境界部Ｋにおける耐力壁１０の端面１０ａの仕上げや、既存壁２の端面（モルタル３１の端面３１ａ）の仕上げを覆い隠すことができ、境界部Ｋにおける意匠性を確保することができる。また、高度な仕上げ作業が不要となるため、施工の容易性を確保できることになる。
【００７９】
また、境界部仕上部材２０は、躯体部材（柱７，７）の見付面７ａに対して固定されるベース部材２２と、耐力壁１０の見付面１０ｂに対向するカバー面部２４ａを有する第一カバー材２４と、既存壁２の見付面２ａに対向するカバー面部２６ａを有する第二カバー材２６と、を有して構成される、境界部仕上部材とする。
【００８０】
これにより、境界部Ｋに充填材３６，３７が使用される場合には、充填材３６，３７を第一カバー材２４、第二カバー材２６にて覆い隠すことにより、紫外線による充填材３６，３７の劣化が抑えられ、耐候性の確保、ひいては、境界部Ｋにおける止水性の確保が可能となる。
【００８１】
また、第一カバー材２４と第二カバー材２６の間にはパッキン２８が挟装され、パッキン２８の厚み２８ｗによって、既存壁の見付面３１ｂよりも室外側となる位置に、第二カバー材２６のカバー面部２６ａを配置させることとする。
【００８２】
これにより、既存壁２（モルタル３１の見付面３１ｂ）の柱７からの出っ張り寸法Ｗ３が施工現場毎に異なる場合には、パッキン２８の厚み２８ｗの変更により対応することができる。
【００８３】
また、横方向に隣り合う塗り壁（既存壁２，２）と、パネル状の耐力壁１０の間の境界部Ｋに収められる境界部仕上部材２０であって、境界部仕上部材２０は、躯体部材（柱７，７）の見付面７ａに対して固定されるベース部材２２と、耐力壁１０の見付面１０ｂに対向するカバー面部２４ａを有する第一カバー材２４と、既存壁２の見付面２ａに対向するカバー面部２６ａを有する第二カバー材２６と、を有して構成される、境界部仕上部材とする。
【００８４】
これにより、第一カバー材２４、第二カバー材２６により、それぞれ、境界部Ｋにおける耐力壁１０の端面１０ａの仕上げや、既存壁２の端面（モルタル３１の端面３１ａ）の仕上げを覆い隠すことができ、境界部Ｋにおける意匠性を確保することができる。また、高度な仕上げ作業が不要となるため、施工の容易性を確保できることになる。また、境界部Ｋに充填材３６，３７が使用される場合には、充填材３６，３７を第一カバー材２４、第二カバー材２６にて覆い隠すことにより、紫外線による充填材３６，３７の劣化が抑えられ、耐候性の確保、ひいては、境界部Ｋにおける止水性の確保が可能となる。
【００８５】
また、第一カバー材２４と第二カバー材２６の間にはパッキン２８が挟装され、パッキン２８の厚み２８ｗによって、既存壁の見付面３１ｂよりも室外側となる位置に、第二カバー材２６のカバー面部２６ａを配置させることとする。
【００８６】
これにより、既存壁２（モルタル３１の見付面３１ｂ）の柱７からの出っ張り寸法Ｗ３が施工現場毎に異なる場合には、パッキン２８の厚み２８ｗの変更により対応することができる。
【産業上の利用可能性】
【００８７】
本発明の構成は、リフォームによる耐震改修として実施するほか、新築時において耐震性能を向上、確保する手段として適用することができる。
【符号の説明】
【００８８】
１    建物
２    既存壁
２ａ    端面
６    出隅部
７    柱
１０    耐力壁
２０    境界部仕上部材
２２    ベース部材
２４    第一カバー材
２６    第二カバー材
２８    パッキン材
３０    下地材
３１    モルタル
３６    充填材
３７    充填材
Ｋ    境界部
【図１】
2013185381.tif 000003
【図２】
2013185381.tif 000004
【図３】
2013185381.tif 000005